(57)【要約】      （修正有）【課題】把持爪が互いに閉じる方位角度を容易に可変できる間接活線工事用絶縁ヤットコを提供する。【解決手段】絶縁操作棒１０は、操作棒１と把持工具２を備える。把持工具は、固定腕１ａと可動腕１ｂを備える。また、固定腕とスライド自在な第１円弧腕１１と、可動腕とスライド自在な第２円弧腕１２を備える。固定腕は、終端部に回動軸１ｃを有し、回動軸から一方の方向に劣弧状に湾曲している。可動腕は、中間部が回動軸と回動自在に連結し、回動軸から他方の方向に劣弧状に湾曲している。固定腕は、第１把持爪１１ａが操作棒と略平行に延びる方向を基準として、第１円弧腕の方位角度を可変できるように、第１係止手段１３に係止される複数の係止穴１ｈを有する。可動腕は、第１把持爪と第２把持爪１２ａが近接した状態で、第２把持爪が第１把持爪に追従できるように、第２係止手段１４に係止される複数の係止穴を有する。【選択図】図１
2016129453.tif 000002
【特許請求の範囲】
【請求項１】
中間部が絶縁性を有する長尺の操作棒、この操作棒の先端部に取り付けた把持工具、前記操作棒に沿って配置された作動棒、及び前記操作棒の手許部に配置され、前記作動棒を作動させる操作レバーを備える間接活線工事用絶縁ヤットコであって、
前記操作棒が延びる方向の終端部に回動軸を有し、この回動軸から一方の方向に劣弧状に湾曲した固定腕と、
中間部が前記回動軸と回動自在に連結し、一端部側が前記回動軸から他方の方向に劣弧状に湾曲すると共に、他端側が前記回動軸から一方の方向に延びて、前記作動棒の先端部と回動自在に連結する可動腕と、
前記固定腕とスライド自在な劣弧状の案内路を一方の端縁から穿設し、遠心方向に突出した第１把持爪を他端部に形成した第１円弧腕と、
前記可動腕とスライド自在な優弧状の案内路を一方の端縁から穿設し、遠心方向に突出した第２把持爪を他端部に形成した第２円弧腕と、
前記第１円弧腕の一端部に固定し、前記第１円弧腕の一方の面から前記固定腕を係止自在な第１係止手段と、
前記第２円弧腕の一端部に固定し、前記第２円弧腕の一方の面から前記可動腕を係止自在な第２係止手段と、を備え、
前記固定腕は、前記第１把持爪が前記操作棒と略平行に延びる方向を基準として、前記第１円弧腕の方位角度を可変できるように、前記第１係止手段に係止される複数の係止穴を有し、
前記可動腕は、前記第１把持爪と前記第２把持爪が近接した状態で、前記第２把持爪が前記第１把持爪に追従できるように、前記第２係止手段に係止される複数の係止穴を有する間接活線工事用絶縁ヤットコ。
【請求項２】
前記第１把持爪及び前記第２把持爪は、互いに吸着できる一組の帯板状の磁石をそれらの対向面に備えている、請求項１記載の間接活線工事用絶縁ヤットコ。
【請求項３】
中間部が絶縁性を有する長尺の操作棒、この操作棒の先端部に取り付けた把持工具、前記操作棒に沿って配置された作動棒、及び前記操作棒の手許部に配置され、前記作動棒を作動させる操作レバーを備える間接活線工事用絶縁ヤットコであって、
前記操作棒が延びる方向の終端部に回動軸を有し、この回動軸から一方の方向に劣弧状に湾曲した固定腕と、
中間部が前記回動軸と回動自在に連結し、一端部側が前記回動軸から他方の方向に劣弧状に湾曲すると共に、他端側が前記回動軸から一方の方向に延びて、前記作動棒の先端部と回動自在に連結する可動腕と、
前記固定腕とスライド自在な劣弧状の案内路を一方の端縁から穿設し、二股に分岐した一対の分岐爪を他端部から突出した第３円弧腕と、
前記可動腕とスライド自在な優弧状の案内路を一方の端縁から穿設し、一対の前記分岐爪の間に導入自在な単一爪を他端部から突出した第４円弧腕と、
前記第３円弧腕の一端部に固定し、前記第３円弧腕の一方の面から前記固定腕を係止自在な第３係止手段と、
前記第４円弧腕の一端部に固定し、前記第４円弧腕の一方の面から前記可動腕を係止自在な第４係止手段と、を備え、
前記固定腕は、一対の前記分岐爪が前記操作棒と略平行に延びる方向を基準として、前記第３円弧腕の方位角度を可変できるように、前記第３係止手段に係止される複数の係止穴を有し、
前記可動腕は、一対の前記分岐爪と前記単一爪２２ａが交差した状態で、前記単一爪が一対の前記分岐爪に追従できるように、前記第４係止手段に係止される複数の係止穴を有する間接活線工事用絶縁ヤットコ。
【発明の詳細な説明】
【技術分野】
【０００１】
本発明は、間接活線工事用絶縁ヤットコに関する。特に、絶縁操作棒の先端部に設けた一対の開閉する把持腕から突出した把持爪が互いに閉じる方位角度を絶縁操作棒が延びる方向を基準として容易に可変できる間接活線工事用絶縁ヤットコの構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を把持する絶縁操作棒としては、絶縁操作棒の先端部に設けた一対の把持腕を手許の操作で開閉できる遠隔把持用絶縁操作棒、いわゆる「絶縁ヤットコ」が知られている。この絶縁ヤットコを用いて、電線を把持する作業の他に、電線に防護管を被せる作業、又は電柱に営巣されたカラスの巣を除去する作業などが実施されている。
【０００５】
図１２は、従来技術による間接活線工事用絶縁ヤットコの正面図である。図１３は、図１２に示した間接活線工事用絶縁ヤットコの先端部を拡大した正面図である。図１４は、図１３の左側面図である。
【０００６】
図１５は、図１２に示した間接活線工事用絶縁ヤットコの先端部の正面図であり、図１５（Ａ）は、一対の把持爪が略真上を向かって閉じた状態図、図１５（Ｂ）は、一対の把持爪が所定の方位角度で斜め方向を向かって閉じた状態図、図１５（Ｃ）は、一対の把持爪が略水平方向を向かって閉じた状態図である。
【０００７】
図１２を参照すると、従来技術による間接活線工事用絶縁ヤットコ（以下、絶縁操作棒という）９は、長尺の操作棒９１と把持工具９２で構成している。又、絶縁操作棒９は、作動棒９３を備えている。把持工具９２は、操作棒９１の先端部に取り付けられている。
【０００８】
図１２又は図１３を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【０００９】
図１２を参照すると、操作棒９１は、その手許部に操作レバー９４を配置している。作動棒９３は、操作棒９１に沿って配置されている。作動棒９３の先端部は、他方の把持腕９ｂに回動自在に連結している。一方、作動棒９３の基端部は、操作レバー９４を連結している。
【００１０】
図１２を参照して、操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００１１】
図１２を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図１２又は図１３は、一方の把持腕９ａに対して、他方の把持腕９ｂが最大に開いた状態を示している。
【００１２】
図１３又は図１４を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図１２又は図１３を参照して、操作レバー９４を握ると、把持面９０ｂを把持面９０ａに近づけることができる。
【００１３】
図１２から図１５に示した絶縁操作棒９は、高所に配置された高圧配電線などを一対の把持爪９１ａ・９１ｂで把持できる、いわゆる「絶縁ヤットコ」になっている。
【００１４】
図１３又は図１４を参照すると、把持工具９２は、係止ピン９２ｐを回動軸９ｃの近傍に取り付けている。一方、作動棒９３は、係止ピン９３ｐを先端部側に取り付けている。これらの係止ピン９２ｐ・９３ｐは、図示しない引張りコイルばねを内蔵している。引張りコイルばねに抗して摘み部を引き上げると、ロックピン（図示せず）を引き上げることができ、摘み部を解放すると引張りコイルばねに付勢されて、ロックピン（図示せず）を突出できる。
【００１５】
図１３又は図１５を参照すると、一方の把持腕９ａは、把持爪９１ａと反対側に三つの係止穴９２ｈを開口している。これらの係止穴９２ｈは、係止ピン９２ｐに保持されたロックピンに嵌合できる。
【００１６】
図１５（Ａ）に示した状態では、係止ピン９２ｐは、左側の係止穴９２ｈに嵌合しているので、把持爪９１ａが略真上に向かっている。図１５（Ｂ）に示した状態では、係止ピン９２ｐは、中央の係止穴９２ｈに嵌合しているので、把持爪９１ａが所定の方位角度で斜め方向に向かっている。図１５（Ｃ）に示した状態では、係止ピン９２ｐは、右側の係止穴９２ｈに嵌合しているので、把持爪９１ａが略水平方向に向かっている。
【００１７】
図１５（Ａ）から図１５（Ｃ）に示したように、把持爪９１ａは、操作棒９１が延びる方向を基準として方位角度を可変できる。一方、把持爪９１ａの方位角度の変更に伴って、把持爪９１ｂが追従できるように、リンクの長さを変更する必要がある。
【００１８】
図１３又は図１５を参照すると、他方の把持腕９ｂと作動棒９３とは、リンク部材９５で連結されている。リンク部材９５には、三つの係止穴９５ｈを開口している。これらの係止穴９５ｈは、係止ピン９３ｐに保持されたロックピンに嵌合できる。
【００１９】
図１５（Ａ）に示した状態では、係止ピン９３ｐは、下段の係止穴９５ｈに嵌合しているので、一対の把持爪９１ａ・９１ｂを略真上に向かって閉じることができる。図１５（Ｂ）に示した状態では、係止ピン９３ｐは、中央の係止穴９５ｈに嵌合しているので、一対の把持爪９１ａ・９１ｂを所定の方位角度で斜め方向に向かって閉じることができる。図１５（Ｃ）に示した状態では、係止ピン９３ｐは、上段の係止穴９５ｈに嵌合しているので、一対の把持爪９１ａ・９１ｂを略水平方向に向かって閉じることができる。
【００２０】
図１５（Ａ）に示した状態では、高圧配電線などを下方から一対の把持爪９１ａ・９１ｂで把持できる。図１５（Ｂ）に示した状態では、高圧配電線などを斜め方向から一対の把持爪９１ａ・９１ｂで把持できる。図１５（Ｃ）に示した状態では、高圧配電線などを略水平方向から一対の把持爪９１ａ・９１ｂで把持できる。
【００２１】
例えば、一対の把持腕に対して一対の把持爪の傾斜角度を変更できる間接活線工事用絶縁ヤットコが開示されている（例えば、特許文献１参照）
【先行技術文献】
【特許文献】
【００２２】
【特許文献１】特開２０００−２７６０７１号公報
【発明の概要】
【発明が解決しようとする課題】
【００２３】
しかし、特許文献１による間接活線工事用絶縁ヤットコは、一対の把持爪が延びる方向と任意の角度で一対の把持腕と交差できるが、一対の把持爪が閉じる方位角度を任意に設定することは困難である。
【００２４】
図１２から図１５に示した従来技術による絶縁操作棒９は、一対の把持爪９１ａ・９１ｂが閉じる方位角度を任意に設定できるが、一組の係止ピン９２ｐ・９３ｐが離隔して配置されているので、設定変更が容易でないという問題がある。特に、係止ピン９３ｐは、その設定変更の必要性が直観的に判断できないので、設定変更を忘れたまま作業に臨み易いという問題がある。
【００２５】
以上のことから、絶縁操作棒の先端部に設けた一対の開閉する把持腕から突出した把持爪が互いに閉じる方位角度を容易に可変できる間接活線工事用絶縁ヤットコが求められていた。
【００２６】
本発明は、このような課題に鑑みてなされたものであり、絶縁操作棒の先端部に設けた一対の開閉する把持腕から突出した把持爪が互いに閉じる方位角度を容易に可変できる間接活線工事用絶縁ヤットコを提供することを目的とする。
【課題を解決するための手段】
【００２７】
本発明者は、開閉自在な劣弧状の固定腕及び可動腕に一組の円弧腕を着脱自在に取り付けて、固定腕及び可動腕に対して、一組の円弧腕が仮想の円周上を移動できるように構成することで、把持爪が互いに閉じる方位角度を容易に可変できることを見出し、これに基づいて、以下のような新たな間接活線工事用絶縁ヤットコを発明するに至った。
【００２８】
（１）本発明による間接活線工事用絶縁ヤットコは、中間部が絶縁性を有する長尺の操作棒、この操作棒の先端部に取り付けた把持工具、前記操作棒に沿って配置された作動棒、及び前記操作棒の手許部に配置され、前記作動棒を作動させる操作レバーを備える間接活線工事用絶縁ヤットコであって、前記操作棒が延びる方向の終端部に回動軸を有し、この回動軸から一方の方向に劣弧状に湾曲した固定腕と、中間部が前記回動軸と回動自在に連結し、一端部側が前記回動軸から他方の方向に劣弧状に湾曲すると共に、他端側が前記回動軸から一方の方向に延びて、前記作動棒の先端部と回動自在に連結する可動腕と、前記固定腕とスライド自在な劣弧状の案内路を一方の端縁から穿設し、遠心方向に突出した第１把持爪を他端部に形成した第１円弧腕と、前記可動腕とスライド自在な優弧状の案内路を一方の端縁から穿設し、遠心方向に突出した第２把持爪を他端部に形成した第２円弧腕と、前記第１円弧腕の一端部に固定し、前記第１円弧腕の一方の面から前記固定腕を係止自在な第１係止手段と、前記第２円弧腕の一端部に固定し、前記第２円弧腕の一方の面から前記可動腕を係止自在な第２係止手段と、を備え、前記固定腕は、前記第１把持爪が前記操作棒と略平行に延びる方向を基準として、前記第１円弧腕の方位角度を可変できるように、前記第１係止手段に係止される複数の係止穴を有し、前記可動腕は、前記第１把持爪と前記第２把持爪が近接した状態で、前記第２把持爪が前記第１把持爪に追従できるように、前記第２係止手段に係止される複数の係止穴を有する。
【００２９】
（２）前記第１把持爪及び前記第２把持爪は、互いに吸着できる一組の帯板状の磁石をそれらの対向面に備えていることが好ましい。
【００３０】
（３）本発明による間接活線工事用絶縁ヤットコは、中間部が絶縁性を有する長尺の操作棒、この操作棒の先端部に取り付けた把持工具、前記操作棒に沿って配置された作動棒、及び前記操作棒の手許部に配置され、前記作動棒を作動させる操作レバーを備える間接活線工事用絶縁ヤットコであって、前記操作棒が延びる方向の終端部に回動軸を有し、この回動軸から一方の方向に劣弧状に湾曲した固定腕と、中間部が前記回動軸と回動自在に連結し、一端部側が前記回動軸から他方の方向に劣弧状に湾曲すると共に、他端側が前記回動軸から一方の方向に延びて、前記作動棒の先端部と回動自在に連結する可動腕と、前記固定腕とスライド自在な劣弧状の案内路を一方の端縁から穿設し、二股に分岐した一対の分岐爪を他端部から突出した第３円弧腕と、前記可動腕とスライド自在な優弧状の案内路を一方の端縁から穿設し、一対の前記分岐爪の間に導入自在な単一爪を他端部から突出した第４円弧腕と、前記第３円弧腕の一端部に固定し、前記第３円弧腕の一方の面から前記固定腕を係止自在な第３係止手段と、前記第４円弧腕の一端部に固定し、前記第４円弧腕の一方の面から前記可動腕を係止自在な第４係止手段と、を備え、前記固定腕は、一対の前記分岐爪が前記操作棒と略平行に延びる方向を基準として、前記第３円弧腕の方位角度を可変できるように、前記第３係止手段に係止される複数の係止穴を有し、前記可動腕は、一対の前記分岐爪と前記単一爪２２ａが交差した状態で、前記単一爪が一対の前記分岐爪に追従できるように、前記第４係止手段に係止される複数の係止穴を有する。
【発明の効果】
【００３１】
本発明による間接活線工事用絶縁ヤットコは、一組の第１係止手段及び第２係止手段を操作することで、一対の第１把持爪及び第２把持爪の方位角度を容易に変更できる。又、本発明による間接活線工事用絶縁ヤットコは、一組の第３係止手段及び第４係止手段を操作することで、一対の分岐爪及び単一爪の方位角度を容易に変更できる。
【図面の簡単な説明】
【００３２】
【図１】本発明の第１実施形態による間接活線工事用絶縁ヤットコの構成を示す正面図であり、一対の第１及び第２把持爪が略真上を向かって閉じた状態図である。
【図２】第１実施形態による間接活線工事用絶縁ヤットコの構成を示す図であり、図２（Ａ）は、間接活線工事用絶縁ヤットコの平面図、図２（Ｂ）は、間接活線工事用絶縁ヤットコの左側面図、図２（Ｃ）は、間接活線工事用絶縁ヤットコの右側面図である。
【図３】第１実施形態による間接活線工事用絶縁ヤットコの要部を縦断面で示す正面図であり、一対の第１及び第２把持爪が略真上を向かって閉じた状態図である。
【図４】第１実施形態による間接活線工事用絶縁ヤットコに備わる第１係止手段の構成を示す図であり、図４（Ａ）は、第１係止手段の縦断面図、図４（Ｂ）は、第１係止手段の横断面図である。
【図５】第１実施形態による間接活線工事用絶縁ヤットコの構成を示す正面図であり、一対の第１及び第２把持爪が所定の方位角度で斜め方向を向かって閉じた状態図である。
【図６】第１実施形態による間接活線工事用絶縁ヤットコの構成を示す正面図であり、一対の第１及び第２把持爪が略水平方向を向かって閉じた状態図である。
【図７】第１実施形態による間接活線工事用絶縁ヤットコの構成を示す正面図であり、図１に示した状態から固定腕に対して可動腕が開いた状態図である。
【図８】第１実施形態による間接活線工事用絶縁ヤットコの全体構成を示す正面図であり、図８（Ａ）は、間接活線工事用絶縁ヤットコの下部構成図、図８（Ｂ）は、間接活線工事用絶縁ヤットコの上部構成図である。
【図９】本発明の第２実施形態による間接活線工事用絶縁ヤットコの構成を示す正面図であり、一対の分岐爪及び単一爪が交差した状態で略真上を向かって閉じた状態図である。
【図１０】第２実施形態による間接活線工事用絶縁ヤットコの要部を縦断面で示す正面図であり、一対の分岐爪及び単一爪が交差した状態で略真上を向かって閉じた状態図である。
【図１１】第２実施形態による間接活線工事用絶縁ヤットコの構成を示す図であり、図１１（Ａ）は、間接活線工事用絶縁ヤットコの平面図、図１１（Ｂ）は、間接活線工事用絶縁ヤットコの左側面図、図１１（Ｃ）は、間接活線工事用絶縁ヤットコの右側面図である。
【図１２】従来技術による間接活線工事用絶縁ヤットコの正面図である。
【図１３】図１２に示した間接活線工事用絶縁ヤットコの先端部を拡大した正面図である。
【図１４】図１３の左側面図である。
【図１５】図１２に示した間接活線工事用絶縁ヤットコの先端部の正面図であり、図１５（Ａ）は、一対の把持爪が略真上を向かって閉じた状態図、図１５（Ｂ）は、一対の把持爪が所定の方位角度で斜め方向を向かって閉じた状態図、図１５（Ｃ）は、一対の把持爪が略水平方向を向かって閉じた状態図である。
【発明を実施するための形態】
【００３３】
以下、図面を参照して本発明を実施するための形態を説明する。
［第１実施形態］
（間接活線工事用絶縁ヤットコの構成）
最初に、本発明の第１実施形態による間接活線工事用絶縁ヤットコの構成を説明する。図１は、本発明の第１実施形態による間接活線工事用絶縁ヤットコの構成を示す正面図であり、一対の第１及び第２把持爪が略真上を向かって閉じた状態図である。
【００３４】
図２は、第１実施形態による間接活線工事用絶縁ヤットコの構成を示す図であり、図２（Ａ）は、間接活線工事用絶縁ヤットコの平面図、図２（Ｂ）は、間接活線工事用絶縁ヤットコの左側面図、図２（Ｃ）は、間接活線工事用絶縁ヤットコの右側面図である。
【００３５】
図３は、第１実施形態による間接活線工事用絶縁ヤットコの要部を縦断面で示す正面図であり、一対の第１及び第２把持爪が略真上を向かって閉じた状態図である。
【００３６】
図４は、第１実施形態による間接活線工事用絶縁ヤットコに備わる第１係止手段の構成を示す図であり、図４（Ａ）は、第１係止手段の縦断面図、図４（Ｂ）は、第１係止手段の横断面図である。
【００３７】
図５は、第１実施形態による間接活線工事用絶縁ヤットコの構成を示す正面図であり、一対の第１及び第２把持爪が所定の方位角度で斜め方向を向かって閉じた状態図である。
【００３８】
図６は、第１実施形態による間接活線工事用絶縁ヤットコの構成を示す正面図であり、一対の第１及び第２把持爪が略水平方向を向かって閉じた状態図である。
【００３９】
図７は、第１実施形態による間接活線工事用絶縁ヤットコの構成を示す正面図であり、図１に示した状態から固定腕に対して可動腕が開いた状態図である。
【００４０】
図８は、第１実施形態による間接活線工事用絶縁ヤットコの全体構成を示す正面図であり、図８（Ａ）は、間接活線工事用絶縁ヤットコの下部構成図、図８（Ｂ）は、間接活線工事用絶縁ヤットコの上部構成図である。
【００４１】
なお、従来技術で使用した符号と同じ符号を有する構成品は、その作用を同じとするので、以下説明を省略することがある。
【００４２】
（全体構成）
図１から図３及び図８を参照すると、本発明の第１実施形態による間接活線工事用絶縁ヤットコ（以下、絶縁操作棒という）１０は、長尺の操作棒１と把持工具２で構成している。又、絶縁操作棒１０は、作動棒３と操作レバー４を備えている。把持工具２は、操作棒１の先端部に取り付けられている。作動棒３は、操作棒１に沿って配置されている。操作レバー４は、操作棒１の手許部に配置されている。そして、操作レバー４は、作動棒３を作動できる。
【００４３】
（固定腕及び可動腕の構成）
図１から図３を参照すると、把持工具２は、固定腕１ａと可動腕１ｂを備えている。固定腕１ａは、操作棒１が延びる方向の終端部に回動軸１ｃを有している。固定腕１ａは、回動軸１ｃから一方の方向に劣弧状に湾曲している。
【００４４】
図１から図３を参照すると、可動腕１ｂは、その中間部が回動軸１ｃと回動自在に連結している。可動腕１ｂは、一端部側が回動軸１ｃから他方の方向に劣弧状に湾曲している。又、可動腕１ｂは、他端側が回動軸１ｃから一方の方向に延びている。そして、可動腕１ｂの末端部は、作動棒３の先端部と回動自在に連結している。
【００４５】
図１から図３及び図８を参照して、操作レバー４を操作すると、固定腕１ａに対して、可動腕１ｂを開閉できる。絶縁操作棒１０は、操作棒１及び作動棒３の中間部が絶縁性を有するプラスチックパイプなどで構成され、間接活線工法に好適なように、絶縁性を確保している。
【００４６】
図８を参照して、操作レバー４を握って、操作レバー４を操作棒１に近づけると、固定腕１ａに対して、可動腕１ｂを閉じることができる。操作レバー４を解放すると、操作レバー４に連結したばね（図示せず）の力で、固定腕１ａに対して可動腕１ｂを開くことができる（図７参照）。図７又は図８は、固定腕１ａに対して可動腕１ｂが最大に開いた状態を示している。
【００４７】
（第１円弧腕及び第２円弧腕の構成）
図１から図３を参照すると、絶縁操作棒１０は、第１円弧腕１１と第２円弧腕１２を備えている。第１円弧腕１１は、劣弧状の案内路１１ｒを一方の端縁から穿設している（図３参照）。案内路１１ｒには、固定腕１ａを旋回するようにスライドできる。又、第１円弧腕１１は、遠心方向に突出した第１把持爪１１ａを他端部に形成している。
【００４８】
図１から図３を参照すると、第２円弧腕１２は、優弧状の案内路１２ｒを一方の端縁から穿設している（図３参照）。案内路１２ｒには、可動腕１ｂを旋回するようにスライドできる。又、第２円弧腕１２は、遠心方向に突出した第２把持爪１２ａを他端部に形成している。
【００４９】
図１から図３を参照すると、第１把持爪１１ａ及び第２把持爪１２ａは、互いに吸着できる一組の帯板状の磁石１１ｍ・１２ｍをそれらの対向面に備えている。
【００５０】
（係止手段の構成）
図１から図３を参照すると、絶縁操作棒１０は、第１係止手段１３と第２係止手段１４を備えている。第１係止手段１３は、第１円弧腕１１の一端部に固定している。そして、第１係止手段１３は、第１円弧腕１１の一方の面から固定腕１ａを係止できる。同様に、第２係止手段１４は、第２円弧腕１２の一端部に固定している。そして、第２係止手段１４は、第２円弧腕１２の一方の面から可動腕１ｂを係止できる。
【００５１】
図１から図３を参照すると、第１係止手段１３と第２係止手段１４は、同じものであるが説明の便宜上、順位数と符号を変えて区別した。同様に、後述する第３係止手段２３と第４係止手段２４は、同じものであるが説明の便宜上、順位数と符号を変えて区別した（図９又は図１０参照）。そして、第１係止手段１３を代表して、係止手段の構成を以下に説明する。
【００５２】
図４を参照すると、第１係止手段１３は、係合ピン１３１と引張りコイルばね１３２を備えている。係合ピン１３１は、軸部１３ｓと鍔部１３ｆで構成している。軸部１３ｓは、第１円弧腕１１の一方の面から突出した円筒部３ｐの内部に収容されている。又、軸部１３ｓは、その先端部が案内路１１ｒの内壁から内部に突出している（図３参照）。鍔部１３ｆは、円筒部３ｐの上端縁に当接している。
【００５３】
図４（Ｂ）を参照すると、引張りコイルばね１３２は、軸部１３ｓの外周を巻回している。又、引張りコイルばね１３２は、円筒部３ｐの内部に収容されている。引張りコイルばね１３２の一端部は、軸部１３ｓに固定されている。引張りコイルばね１３２の他端部は、円筒部３ｐの内壁に固定されている。そして、引張りコイルばね１３２は、軸部１３ｓの先端部が案内路１１ｒの内部に突出する力を付勢している。
【００５４】
図４（Ａ）を参照して、鍔部１３ｆを把持して、引張りコイルばね１３２の弾性力に抗して、係合ピン１３１を引き上げると、固定腕１ａを案内路１１ｒに収容できる（図３参照）。そして、鍔部１３ｆを解放すると、固定腕１ａに開口された後述する係止穴１ｈに係合ピン１３１の先端部を係止できる。
【００５５】
図４を参照すると、軸部１３ｓは、遠心方向に係止ピン１３ｐを突出している。一方、円筒部３ｐの内部には、係止ピン１３ｐを軸部１３ｓの軸方向に案内するスリット状の溝１３ｍを設けている。
【００５６】
図４（Ａ）を参照して、鍔部１３ｆを把持して、係合ピン１３１を引き上げると、係止ピン１３ｐを円筒部３ｐの上端縁を超える高さに移動できる。そして、係合ピン１３１を外周方向に回動すると、係止ピン１３ｐを円筒部３ｐの上端縁に当接できる。これにより、係合ピン１３１を引き上げた状態に維持でき、固定腕１ａを案内路１１ｒに収容した後に、係合ピン１３１を逆方向に回動することで、第１円弧腕１１を固定腕１ａに固定できる。
【００５７】
なお、第２係止手段１４は、前述と同様に、第２円弧腕１２を可動腕１ｂに固定できるので、説明を省略する。
【００５８】
（絶縁操作棒の構成）
引き続き、第１実施形態による絶縁操作棒１０の構成を説明する。図１から図３を参照すると、固定腕１ａは、仮想の円周上に等間隔に三つの係止穴１ｈを開口している。これらの係止穴１ｈの中心は、仮想の円中心から３０度毎に開角する位置に設定している。そして、三つの係止穴１ｈのいずれか一つに第１係止手段１３が係止できる。
【００５９】
同様に、図１から図３を参照すると、可動腕１ｂは、仮想の円周上に等間隔に三つの係止穴２ｈを開口している。これらの係止穴２ｈの中心は、仮想の円中心から３０度毎に開角する位置に設定している。そして、三つの係止穴２ｈのいずれか一つに第２係止手段１４が係止できる。
【００６０】
図１又は図３を参照すると、第１係止手段１３は、回動軸１ｃから最も離れた係止穴１ｈに係止している。そして、第１把持爪１１ａは、操作棒１と略平行に延びる方向と平行に向かって配置されている。
【００６１】
図５を参照すると、第１係止手段１３は、中央の係止穴１ｈに係止している。そして、第１把持爪１１ａは、操作棒１と略平行に延びる方向を基準として、３０度の方位角度に向かって配置されている。
【００６２】
図６を参照すると、第１係止手段１３は、回動軸１ｃから最も近い係止穴１ｈに係止している。そして、第１把持爪１１ａは、操作棒１と略平行に延びる方向を基準として、６０度の方位角度に向かって配置されている。
【００６３】
このように、第１円弧腕１１は、第１把持爪１１ａが操作棒１と略平行に延びる方向を基準として、固定腕１ａに対する第１円弧腕１１の方位角度を可変できる。
一方、図１又は図３を参照すると、第２係止手段１４は、回動軸１ｃから最も近い係止穴２ｈに係止している。そして、第２把持爪１２ａは、操作棒１と略平行に延びる方向と平行に向かって配置されている。
【００６４】
図５を参照すると、第２係止手段１４は、中央の係止穴２ｈに係止している。そして、第２把持爪１２ａは、操作棒１と略平行に延びる方向を基準として、３０度の方位角度に向かって配置されている。
【００６５】
図６を参照すると、第２係止手段１４は、回動軸１ｃから最も離れた係止穴２ｈに係止している。そして、第２把持爪１２ａは、操作棒１と略平行に延びる方向を基準として、６０度の方位角度に向かって配置されている。
【００６６】
このように、第２円弧腕１２は、第１把持爪１１ａと第２把持爪１２ａが近接した状態で、第２把持爪１２ａが第１把持爪１１ａに追従できるように、可動腕１ｂに対する第２円弧腕１２の方位角度を可変できる。
【００６７】
（間接活線工事用絶縁ヤットコの作用）
次に、第１実施形態による絶縁操作棒１０の操作方法を説明しながら、絶縁操作棒１０の作用及び効果を説明する。
【００６８】
図１から図３に示した状態では、第１係止手段１３は、回動軸１ｃから最も離れた係止穴１ｈに係止しており、第１把持爪１１ａが略真上に向かっている。同様、図１から図３に示した状態では、第２係止手段１４は、回動軸１ｃに最も近い係止穴２ｈに係止しており、第２把持爪１２ａが略真上に向かっている。
【００６９】
図１から図３に示した状態から、第１係止手段１３を操作して、固定腕１ａに対して第１円弧腕１１を時計方向に旋回する。次に、第１係止手段１３を中央の係止穴１ｈに係止することで、図５に示した状態になる。図５に示した状態では、第１係止手段１３は、中央の係止穴１ｈに係止しており、操作棒１と略平行に延びる方向を基準として、第１把持爪１１ａを３０度の方位角度に向かって配置できる。
【００７０】
同様に、図１から図３に示した状態から、第２係止手段１４を操作して、可動腕１ｂに対して第２円弧腕１２を時計方向に旋回する。この場合、一組の磁石１１ｍ・１２ｍを互いに吸着させておくことで、第１円弧腕１１の移動に伴って、第２円弧腕１２を容易に追従できる。
【００７１】
次に、第２係止手段１４を中央の係止穴２ｈに係止することで、図５に示した状態になる。図５に示した状態では、第２係止手段１４は、中央の係止穴２ｈに係止しており、操作棒１と略平行に延びる方向を基準として、第２把持爪１２ａを３０度の方位角度に向かって配置できる。
【００７２】
図５に示した状態から、第１係止手段１３を操作して、固定腕１ａに対して第１円弧腕１１を時計方向に旋回する。次に、第１係止手段１３を回動軸１ｃに最も近い係止穴１ｈに係止することで、図６に示した状態になる。図６に示した状態では、第１係止手段１３は、回動軸１ｃに最も近い係止穴１ｈに係止しており、操作棒１と略平行に延びる方向を基準として、第１把持爪１１ａを６０度の方位角度に向かって配置できる。
【００７３】
同様に、図５に示した状態から、第２係止手段１４を操作して、可動腕１ｂに対して第２円弧腕１２を時計方向に旋回する。この場合、一組の磁石１１ｍ・１２ｍを互いに吸着させておくことで、第１円弧腕１１の移動に伴って、第２円弧腕１２を容易に追従できる。
【００７４】
次に、第２係止手段１４を回動軸１ｃから最も離れた係止穴２ｈに係止することで、図６に示した状態になる。図６に示した状態では、第２係止手段１４は、回動軸１ｃから最も離れた係止穴２ｈに係止しており、操作棒１と略平行に延びる方向を基準として、第２把持爪１２ａを６０度の方位角度に向かって配置できる。
【００７５】
このように、第１実施形態による絶縁操作棒１０は、一組の第１係止手段１３及び第２係止手段１４を操作することで、一対の第１把持爪１１ａ及び第２把持爪１２ａの方位角度を容易に変更できる。この場合、一組の磁石１１ｍ・１２ｍを互いに吸着させておくことで、第１円弧腕１１の移動に伴って、第２円弧腕１２を容易に追従できる。
【００７６】
図１から図３に示した状態では、高圧配電線などを下方から一対の第１把持爪１１ａ及び第２把持爪１２ａで把持できる。図５に示した状態では、高圧配電線などを３０度の方位角度から一対の第１把持爪１１ａ及び第２把持爪１２ａで把持できる。図６に示した状態では、高圧配電線などを６０度の方位角度から一対の第１把持爪１１ａ及び第２把持爪１２ａで把持できる。
【００７７】
［第２実施形態］
（間接活線工事用絶縁ヤットコの構成）
次に、本発明の第２実施形態による間接活線工事用絶縁ヤットコの構成を説明する。図９は、本発明の第２実施形態による間接活線工事用絶縁ヤットコの構成を示す正面図であり、一対の分岐爪及び単一爪が交差した状態で略真上を向かって閉じた状態図である。
【００７８】
図１０は、第２実施形態による間接活線工事用絶縁ヤットコの要部を縦断面で示す正面図であり、一対の分岐爪及び単一爪が交差した状態で略真上を向かって閉じた状態図である。
【００７９】
図１１は、第２実施形態による間接活線工事用絶縁ヤットコの構成を示す図であり、図１１（Ａ）は、間接活線工事用絶縁ヤットコの平面図、図１１（Ｂ）は、間接活線工事用絶縁ヤットコの左側面図、図１１（Ｃ）は、間接活線工事用絶縁ヤットコの右側面図である。
【００８０】
なお、第１実施形態で使用した符号と同じ符号を有する構成品は、その作用を同じとするので、以下説明を省略することがある。
【００８１】
（全体構成）
図９から図１１を参照、及び図８を援用すると、本発明の第２実施形態による間接活線工事用絶縁ヤットコ（以下、絶縁操作棒という）２０は、長尺の操作棒１と把持工具２で構成している。又、絶縁操作棒２０は、作動棒３と操作レバー４を備えている。把持工具２は、操作棒１の先端部に取り付けられている。作動棒３は、操作棒１に沿って配置されている。操作レバー４は、操作棒１の手許部に配置されている。そして、操作レバー４は、作動棒３を作動できる。
【００８２】
図９から図１１を参照すると、把持工具２は、固定腕１ａと可動腕１ｂを備えている。固定腕１ａは、操作棒１が延びる方向の終端部に回動軸１ｃを有している。固定腕１ａは、回動軸１ｃから一方の方向に劣弧状に湾曲している。
【００８３】
図９から図１１を参照すると、可動腕１ｂは、その中間部が回動軸１ｃと回動自在に連結している。可動腕１ｂは、一端部側が回動軸１ｃから他方の方向に劣弧状に湾曲している。又、可動腕１ｂは、他端側が回動軸１ｃから一方の方向に延びている。そして、可動腕１ｂの末端部は、作動棒３の先端部と回動自在に連結している。
【００８４】
図８を援用して、操作レバー４を握って、操作レバー４を操作棒１に近づけると、固定腕１ａに対して、可動腕１ｂを閉じることができる。操作レバー４を解放すると、操作レバー４に連結したばね（図示せず）の力で、固定腕１ａに対して可動腕１ｂを開くことができる。
【００８５】
（第３円弧腕及び第４円弧腕の構成）
図９から図１１を参照すると、絶縁操作棒２０は、第３円弧腕２１と第４円弧腕２２を備えている。第３円弧腕２１は、劣弧状の案内路２１ｒを一方の端縁から穿設している（図１１参照）。案内路２１ｒには、固定腕１ａを旋回するようにスライドできる。又、第３円弧腕２１は、遠心方向に突出した第１把持爪１１ａを他端部に形成している。
【００８６】
図９から図１１を参照すると、第４円弧腕２２は、優弧状の案内路２２ｒを一方の端縁から穿設している（図１１参照）。案内路２２ｒには、可動腕１ｂを旋回するようにスライドできる。又、第４円弧腕２２は、一対の分岐爪２１ａ・２１ａの間に導入自在な単一爪２２ａを他端部から突出している。
【００８７】
図９から図１１を参照して、固定腕１ａに対して、可動腕１ｂを閉じると、一対の分岐爪２１ａ・２１ａの間に単一爪２２ａを交差できる。
【００８８】
図９から図１１に示した第２実施形態による絶縁操作棒２０は、一対の第３円弧腕２１と第４円弧腕２２の間に、略円形の断面を有する把持対象物を確実に把持できる、いわゆる、クイック型絶縁ヤットコを構成している。
【００８９】
（係止手段の構成）
図９から図１１を参照すると、絶縁操作棒２０は、第３係止手段２３と第４係止手段２４を備えている。第３係止手段２３は、第３円弧腕２１の一端部に固定している。そして、第３係止手段２３は、第３円弧腕２１の一方の面から固定腕１ａを係止できる。同様に、第４係止手段２４は、第４円弧腕２２の一端部に固定している。そして、第４係止手段２４は、第４円弧腕２２の一方の面から可動腕１ｂを係止できる。
【００９０】
第３係止手段２３と第４係止手段２４は、第１係止手段１３と第２係止手段１４と同じものであるので、説明を省略する。
【００９１】
（間接活線工事用絶縁ヤットコの作用）
次に、第２実施形態による絶縁操作棒２０の操作方法を説明しながら、絶縁操作棒２０の作用及び効果を説明する。
【００９２】
図９から図１１に示した状態では、第３係止手段２３は、回動軸１ｃから最も離れた係止穴１ｈに係止しており、一対の分岐爪２１ａ・２１ａが略真上に向かっている。同様、図９から図１１に示した状態では、第４係止手段２４は、回動軸１ｃに最も近い係止穴２ｈに係止しており、単一爪２２ａが略真上に向かっている。
【００９３】
図９から図１１に示した状態から、第３係止手段２３を操作して、固定腕１ａに対して第３円弧腕２１を時計方向に旋回する。次に、第３係止手段２３を中央の係止穴１ｈに係止することで、操作棒１と略平行に延びる方向を基準として、一対の分岐爪２１ａ・２１ａを３０度の方位角度に向かって配置できる。
【００９４】
同様に、図９から図１１に示した状態から、第４係止手段２４を操作して、可動腕１ｂに対して第４円弧腕２２を時計方向に旋回する。この場合、第３円弧腕２１の移動に伴って、第４円弧腕２２を容易に追従できる。
【００９５】
次に、第４係止手段２４を中央の係止穴２ｈに係止することで、操作棒１と略平行に延びる方向を基準として、第２把持爪１２ａを３０度の方位角度に向かって配置できる。
【００９６】
図５に示した状態から、第１係止手段１３を操作して、固定腕１ａに対して第１円弧腕１１を時計方向に旋回する。次に、第１係止手段１３を回動軸１ｃに最も近い係止穴１ｈに係止することで、図６に示した状態になる。図６に示した状態では、第１係止手段１３は、回動軸１ｃに最も近い係止穴１ｈに係止しており、操作棒１と略平行に延びる方向を基準として、第１把持爪１１ａを６０度の方位角度に向かって配置できる。
【００９７】
前述した同様の手順で、操作棒１と略平行に延びる方向を基準として、一対の分岐爪２１ａ・２１ａ及び単一爪２２ａを６０度の方位角度に向かって配置できる。
【００９８】
このように、第２実施形態による絶縁操作棒２０は、一組の第３係止手段２３及び第４係止手段２４を操作することで、一対の分岐爪２１ａ・２１ａ及び単一爪２２ａの方位角度を容易に変更できる。
【００９９】
第２実施形態による絶縁操作棒２０は、第１実施形態による絶縁操作棒１０と同様な効果を奏するが、第１実施形態による第１円弧腕１１及び第２円弧腕１２を第２実施形態による第３円弧腕２１及び第４円弧腕２２に交換するだけで、クイック型絶縁ヤットコとして使用できるという格別の効果を奏する。
【０１００】
本発明による間接活線工事用絶縁ヤットコは、次のような効果が期待できる。
（１）把持爪が互いに閉じる方位角度を容易に可変できる。
（２）一組の係止手段が隣接配置されているので、変更操作が容易である。
（３）第１把持爪及び第２把持爪は、互いに吸着できる一組の磁石をそれらの対向面に備えているので、一方の把持爪に対して他方の把持爪を容易に追従できる。
（４）一組の円弧腕を交換するだけで、クイック型絶縁ヤットコとして使用できる。
【０１０１】
本発明は、無停電状態の高圧配電線を間接的に活線工事できる間接活線工事用絶縁ヤットコを開示したが、本発明の絶縁ヤットコは、間接活線工事用に限定されることなく、他の分野でも応用されることが期待される。
【符号の説明】
【０１０２】
１  操作棒
１ａ  固定腕
１ｂ  可動腕
１ｃ  回動軸
１ｈ  係止穴（固定腕１ａに設けた係止穴）
２  把持工具
２ｈ  係止穴（可動腕１ｂに設けた係止穴）
３  作動棒
１０  絶縁操作棒（間接活線工事用絶縁ヤットコ）
１１  第１円弧腕
１１ａ  第１把持爪
１１ｒ  案内路
１２  第２円弧腕
１２ａ  第２把持爪
１２ｒ  案内路
１３  第１係止手段
１４  第２係止手段
【図１】
2016129453.tif 000003
【図２】
2016129453.tif 000004
【図３】
2016129453.tif 000005
【図４】
2016129453.tif 000006
【図５】
2016129453.tif 000007
【図６】
2016129453.tif 000008
【図７】
2016129453.tif 000009
【図８】
2016129453.tif 000010
【図９】
2016129453.tif 000011
【図１０】
2016129453.tif 000012
【図１１】
2016129453.tif 000013
【図１２】
2016129453.tif 000014
【図１３】
2016129453.tif 000015
【図１４】
2016129453.tif 000016
【図１５】
2016129453.tif 000017